(57)【特許請求の範囲】
【請求項１】
モノクロの医用画像データに基づいて、フィルム上に画像形成してハードコピーとして出力すると共に、カラー画像表示装置にモノクロの医用画像を表示する際の医用画像表示方法であって、
色調の異なる複数のサンプル画像を表示すると共に、該複数のサンプル画像の中のいずれか複数の選択を受け付け、
選択された複数のサンプル画像の中間の色調に合致するように、モノクロの医用画像データをカラーモニタに表示する際の色調処理を実行する、
ことを特徴とする医用画像表示方法。
【請求項２】
モノクロの医用画像データに基づいて、フィルム上に画像形成してハードコピーとして出力すると共に、カラー画像表示装置にモノクロの医用画像を表示する際の医用画像表示方法であって、
色調の異なる複数のサンプル画像を表示すると共に、該複数のサンプル画像の中のいずれかの選択を受け付け、
選択されたサンプル画像の色調に合致するように、モノクロの医用画像データをカラーモニタに表示する際の色調処理を実行する、
処理において、
複数のサンプル画像が選択された際には、該複数のサンプル画像の中間の色調の異なる複数のサンプル画像を更に表示すると共に、該複数のサンプル画像の中のいずれか単一もしくは複数の選択を受け付け、
単一のサンプル画像が選択された際には、選択された単一のサンプル画像の色調に合致するように、モノクロの医用画像データをカラーモニタに表示する際の色調処理を実行する、
ことを特徴とする医用画像表示方法。
【請求項３】
前記表示する色調の異なる複数のサンプル画像は、同一の絵柄の画像である、
ことを特徴とする請求項１または請求項２に記載の医用画像表示方法。
【請求項４】
モノクロの医用画像データに基づいて、フィルム上に画像形成してハードコピーとして出力すると共に、カラー画像表示装置にモノクロの医用画像を表示する際の医用画像表示方法であって、
単一のサンプル画像と、色調の異なる複数の色見本を表示すると共に、該複数の色見本の中のいずれか複数の選択を受け付け、
選択された色見本の色調に合致するように、サンプル画像に色調処理を実行して表示し、
色見本の選択が確定した後、選択された複数の色見本の中間の色調に合致するように、モノクロの医用画像データをカラーモニタに表示する際の色調処理を実行する、
ことを特徴とする医用画像表示方法。
【請求項５】
モノクロの医用画像データに基づいて、フィルム上に画像形成してハードコピーとして出力すると共に、カラー画像表示装置にモノクロの医用画像を表示する際の医用画像表示方法であって、
単一のサンプル画像と、色調の異なる複数の色見本を表示すると共に、該複数の色見本のいずれかの選択を受け付け、
選択された色見本の色調に合致するように、サンプル画像に色調処理を実行して表示し、
色見本の選択が確定した後、モノクロの医用画像データをカラーモニタに表示する際の色調処理を実行する、
処理において、
複数の色見本が選択された際には、該複数の色見本の中間の色調の異なる複数の色見本を更に表示すると共に、該複数の色見本のいずれか単一もしくは複数の選択を受け付け、
単一の色見本が選択された際には、選択された単一の色見本の色調に合致するように、モノクロの医用画像データをカラーモニタに表示する際の色調処理を実行する、
ことを特徴とする医用画像表示方法。
【請求項６】
所定の輝度において色調の異なる複数の色見本を表示すると共に、輝度の選択を受け付け、輝度の選択が変更された場合には、変更された輝度における色調の異なる複数の色見本を表示する、ことを特徴とする請求項４または請求項５に記載の医用画像表示方法。
【請求項７】
シャーカステンによって照明された画像の明度と等しい明度となるように前記カラーモニタにモノクロの医用画像を表示し、
色調処理を実行する、
ことを特徴とする請求項１乃至請求項６のいずれかに記載の医用画像表示方法。
【請求項８】
モノクロの医用画像データに基づいて、フィルム上に画像形成してハードコピーとして出力すると共に、カラー画像表示装置にモノクロの医用画像を表示する際の医用画像表示装置であって、
色調の異なる複数のサンプル画像を表示すると共に、該複数のサンプル画像の中のいずれか複数の選択を受け付け、
選択された複数のサンプル画像の中間の色調に合致するように、モノクロの医用画像データをカラーモニタに表示する際の色調処理を実行する、
ことを特徴とする医用画像表示装置。
【請求項９】
モノクロの医用画像データに基づいて、フィルム上に画像形成してハードコピーとして出力すると共に、カラー画像表示装置にモノクロの医用画像を表示する際の医用画像表示装置であって、
色調の異なる複数のサンプル画像を表示すると共に、該複数のサンプル画像の中のいずれかの選択を受け付け、
選択されたサンプル画像の色調に合致するように、モノクロの医用画像データをカラーモニタに表示する際の色調処理を実行する、
処理において、
複数のサンプル画像が選択された際には、該複数のサンプル画像の中間の色調の異なる複数のサンプル画像を更に表示すると共に、該複数のサンプル画像の中のいずれか単一もしくは複数の選択を受け付け、
単一のサンプル画像が選択された際には、選択された単一のサンプル画像の色調に合致するように、モノクロの医用画像データをカラーモニタに表示する際の色調処理を実行する、
ことを特徴とする医用画像表示装置。
【請求項１０】
前記表示する色調の異なる複数のサンプル画像は、同一の絵柄の画像である、
ことを特徴とする請求項８または請求項９に記載の医用画像表示装置。
【請求項１１】
モノクロの医用画像データに基づいて、フィルム上に画像形成してハードコピーとして出力すると共に、カラー画像表示装置にモノクロの医用画像を表示する際の医用画像表示装置であって、
単一のサンプル画像と、色調の異なる複数の色見本を表示すると共に、該複数の色見本の中のいずれか複数の選択を受け付け、
選択された色見本の色調に合致するように、サンプル画像に色調処理を実行して表示し、
色見本の選択が確定した後、選択された複数の色見本の中間の色調に合致するように、モノクロの医用画像データをカラーモニタに表示する際の色調処理を実行する、
ことを特徴とする医用画像表示装置。
【請求項１２】
モノクロの医用画像データに基づいて、フィルム上に画像形成してハードコピーとして出力すると共に、カラー画像表示装置にモノクロの医用画像を表示する際の医用画像表示装置であって、
単一のサンプル画像と、色調の異なる複数の色見本を表示すると共に、該複数の色見本のいずれかの選択を受け付け、
選択された色見本の色調に合致するように、サンプル画像に色調処理を実行して表示し、
色見本の選択が確定した後、モノクロの医用画像データをカラーモニタに表示する際の色調処理を実行する、
処理において、
複数の色見本が選択された際には、該複数の色見本の中間の色調の異なる複数の色見本を更に表示すると共に、該複数の色見本のいずれか単一もしくは複数の選択を受け付け、
単一の色見本が選択された際には、選択された単一の色見本の色調に合致するように、モノクロの医用画像データをカラーモニタに表示する際の色調処理を実行する、
ことを特徴とする医用画像表示装置。
【請求項１３】
所定の輝度において色調の異なる複数の色見本を表示すると共に、輝度の選択を受け付け、輝度の選択が変更された場合には、変更された輝度における色調の異なる複数の色見本を表示する、
ことを特徴とする請求項１１または請求項１２に記載の医用画像表示装置。
【請求項１４】
シャーカステンによって照明された画像の明度と等しい明度となるように前記カラーモニタにモノクロの医用画像を表示し、色調処理を実行する、ことを特徴とする請求項８乃至請求項１３のいずれかに記載の医用画像表示装置。
【請求項１５】
モノクロの医用画像データに基づいて、フィルム上に画像形成してハードコピーとして出力すると共に、カラー画像表示装置にモノクロの医用画像を表示する際の医用画像表示プログラムであって、
色調の異なる複数のサンプル画像を表示する表示ステップと、
該複数のサンプル画像の中のいずれか複数の選択を受け付ける受付ステップと、
選択された複数のサンプル画像の中間の色調に合致するように、モノクロの医用画像データをカラーモニタに表示する際の色調処理を実行する色調処理ステップと、
を有することを特徴とする医用画像表示プログラム。
【請求項１６】
モノクロの医用画像データに基づいて、フィルム上に画像形成してハードコピーとして出力すると共に、カラー画像表示装置にモノクロの医用画像を表示する際の医用画像表示プログラムであって、
色調の異なる複数のサンプル画像を表示する表示ステップと、
該複数のサンプル画像の中のいずれかの選択を受け付ける受付ステップと、
選択されたサンプル画像の色調に合致するように、モノクロの医用画像データをカラーモニタに表示する際の色調処理を実行する色調処理ステップと、
を有し、
前記受付ステップで複数のサンプル画像が選択された際には、前記表示ステップで該複数のサンプル画像の中間の色調の異なる複数のサンプル画像を更に表示すると共に、該複数のサンプル画像の中のいずれか単一もしくは複数の選択を受け付け、
前記受付ステップで単一のサンプル画像が選択された際には、選択された単一のサンプル画像の色調に合致するように、モノクロの医用画像データをカラーモニタに表示する際の色調処理を実行する、
ことを特徴とする医用画像表示プログラム。
【請求項１７】
前記表示ステップで表示する色調の異なる複数のサンプル画像は、同一の絵柄の画像である、
ことを特徴とする請求項１５または請求項１６のいずれかに記載の医用画像表示プログラム。
【請求項１８】
モノクロの医用画像データに基づいて、フィルム上に画像形成してハードコピーとして出力すると共に、カラー画像表示装置にモノクロの医用画像を表示する際の医用画像表示プログラムであって、
単一のサンプル画像と、色調の異なる複数の色見本を表示すると共に、該複数の色見本の中のいずれか複数の選択を受け付ける受付ステップと、
選択された複数の色見本の中間の色調に合致するように、サンプル画像に色調処理を実行して表示する表示ステップと、
色見本の選択が確定した後、選択された複数の色見本の中間の色調に合致するように、モノクロの医用画像データをカラーモニタに表示する際の色調処理を実行する色調処理ステップと、
を有することを特徴とする医用画像表示プログラム。
【請求項１９】
モノクロの医用画像データに基づいて、フィルム上に画像形成してハードコピーとして出力すると共に、カラー画像表示装置にモノクロの医用画像を表示する際の医用画像表示プログラムであって、
単一のサンプル画像と、色調の異なる複数の色見本を表示すると共に、該複数の色見本のいずれかの選択を受け付ける受付ステップと、
選択された色見本の色調に合致するように、サンプル画像に色調処理を実行して表示する表示ステップと、
色見本の選択が確定した後、モノクロの医用画像データをカラーモニタに表示する際の色調処理を実行する色調処理ステップと、
を有し、
前記受付ステップで複数の色見本が選択された際には、該複数の色見本の中間の色調の異なる複数の色見本を更に表示すると共に、該複数の色見本のいずれか単一もしくは複数の選択を受け付け、
前記受付ステップで単一の色見本が選択された際には、選択された単一の色見本の色調に合致するように、モノクロの医用画像データをカラーモニタに表示する際の色調処理を実行する、
ことを特徴とする医用画像表示プログラム。
【請求項２０】
前記表示ステップで所定の輝度において色調の異なる複数の色見本を表示すると共に、前記受付ステップで輝度の選択を受け付け、輝度の選択が変更された場合には、前記表示ステップでは変更された輝度における色調の異なる複数の色見本を表示する、
ことを特徴とする請求項１８または請求項１９に記載の医用画像表示プログラム。
【請求項２１】
前記表示ステップではシャーカステンによって照明された画像の明度と等しい明度となるように前記カラーモニタにモノクロの医用画像を表示した状態で、前記色調処理ステップで色調処理を実行する、
ことを特徴とする請求項１５乃至請求項２０のいずれかに記載の医用画像表示プログラム。
【請求項２２】
請求項１５乃至請求項２１のいずれかの医用画像表示プログラムが記録されたことを特徴とする記録媒体。
【発明の詳細な説明】
【０００１】
【発明の属する技術分野】
本発明はモノクロの医用画像データに基づいて、フィルム上に画像形成してハードコピーとして出力すると共に、カラー画像表示装置にモノクロの医用画像を表示する際の医用画像表示方法、医用画像表示装置、医用画像表示プログラム、および記録媒体に関する。
【０００２】
【従来の技術】
医療の分野において、Ｘ線等の放射線を利用した種々の医用画像撮影装置が用いられている。この種の医用画像撮像装置として、Ｘ線撮影装置，ＲＩ装置，ＣＲ（コンピューテッド・ラジオグラフィ）装置、ＣＴ（コンピューテッド・トモグラフィ）装置，超音波撮影装置，ＭＲＩ（磁気共鳴イメージング）装置等が存在する。
【０００３】
そしてこれらの撮影装置により取得された画像データは、周波数処理や階調処理等の各種の画像処理が施された後に、フィルム上に画像形成されてハードコピーとして出力されたり、画像表示装置に表示されて、病巣や傷害の有無、その内容の把握などの診断に利用されている。
【０００４】
このような撮影と表示との医用画像システムで使用される画像表示装置としては、表示画像がＣＴ画像のようにモノクロ表示する場合が多いものと、ＭＲＩ画像のようにカラー表示する場合が多いものが混在するため、カラー画像表示装置が用いられる。そして、カラー画像についてはカラーで、モノクロ画像についてはモノクロで表示するようにしている。
【０００５】
【発明が解決しようとする課題】
ところで、Ｘ線撮影装置などにより得られたモノクロの医用画像データに基づいて、透明フィルム上に画像形成してハードコピーとして出力すると共に、カラー画像表示装置にモノクロの医用画像を表示することがある。
【０００６】
なお、このハードコピーは、シャーカステンによって照明された状態で医師等が観察するものである。
このハードコピーは無色透明のベースフィルム上にモノクロの画像を形成する場合と、青みがかった透明のベースフィルム上にモノクロの画像を形成する場合とがある。すなわち、使用するフィルムの銘柄によって、ベースの色が無色のものと薄青色のものとが存在している。
【０００７】
したがって、どのフィルムを使用するかによって見え方（色調）が異なったものになる。また、どのフィルムを使用するかで、ハードコピーの見え方と、画像表示装置の見え方とが異なる場合が生じる。なお、今までは、このようなハードコピーと画像表示装置との色調に関する見え方の違いについては何ら配慮されておらず、それぞれ異なった色調で観察されていた。
【０００８】
なお、このような問題を解決するため、測色計を用いてハードコピーと画像表示装置との表示を測色し、それぞれを一致させることも可能である。しかし、測色計を用いることで装置全体が高価になる新たな問題が生じる。また、測色計の代わりに、デジタルカメラなどの撮像手段を用いて画像データを生成することも可能であるが、同様に装置全体が高価になる問題を生じる。
【０００９】
また、医師等の観察者の加齢による視覚特性の変化によってシャーカステンによって照明ハードコピーと画像表示装置との見え方が異なる場合では、測色計やデジタルカメラによる手法では対処することができなかった。
【００１０】
本発明は上記事情に鑑みてなされたものであり、その目的は、モノクロの医用画像データに基づいて、フィルム上に画像形成してハードコピーとして出力すると共に、カラー画像表示装置にモノクロの医用画像を表示する際の色調を簡便に一致させることが可能な医用画像表示方法、医用画像表示装置、医用画像表示プログラム、および記録媒体を実現することである。
【００１１】
【課題を解決するための手段】
上述した課題は以下に述べる本発明により解決される。
（１）請求項１記載の発明は、モノクロの医用画像データに基づいて、フィルム上に画像形成してハードコピーとして出力すると共に、カラー画像表示装置にモノクロの医用画像を表示する際の医用画像表示方法であって、色調の異なる複数のサンプル画像を表示すると共に、該複数のサンプル画像の中のいずれかの選択を受け付け、選択されたサンプル画像の色調に合致するように、モノクロの医用画像データをカラーモニタに表示する際の色調処理を実行する、ことを特徴とする医用画像表示方法である。
【００１２】
また、請求項８記載の発明は、モノクロの医用画像データに基づいて、フィルム上に画像形成してハードコピーとして出力すると共に、カラー画像表示装置にモノクロの医用画像を表示する際の医用画像表示装置であって、色調の異なる複数のサンプル画像を表示すると共に、該複数のサンプル画像の中のいずれかの選択を受け付け、選択されたサンプル画像の色調に合致するように、モノクロの医用画像データをカラーモニタに表示する際の色調処理を実行する、ことを特徴とする医用画像表示装置である。
【００１３】
これらの発明では、モノクロの医用画像データに基づいて、フィルム上に画像形成してハードコピーとして出力すると共に、カラー画像表示装置にモノクロの医用画像を表示する際に、カラー画像表示装置に色調の異なる複数のサンプル画像を表示すると共に、観察者から該複数のサンプル画像の中のいずれかの選択を受け付けることで、選択されたサンプル画像の色調に合致するように、モノクロの医用画像データをカラーモニタに表示する際の色調処理を実行する。
【００１４】
これにより、モノクロの医用画像データに基づいて、フィルム上に画像形成してハードコピーとして出力すると共に、カラー画像表示装置にモノクロの医用画像を表示する際の色調を簡便に一致させることが可能になる。
【００１９】
なお、上記請求項１記載の発明は、サンプル画像の中のいずれか複数の選択を受け付け、選択された複数のサンプル画像の中間の色調に合致するように、モノクロの医用画像データをカラーモニタに表示する際の色調処理を実行する、ことを特徴とする。
【００２０】
また、上記請求項８記載の発明は、サンプル画像の中のいずれか複数の選択を受け付け、選択された複数のサンプル画像の中間の色調に合致するように、モノクロの医用画像データをカラーモニタに表示する際の色調処理を実行する、ことを特徴とする。
【００２１】
これらの発明では、モノクロの医用画像データに基づいて、フィルム上に画像形成してハードコピーとして出力すると共に、カラー画像表示装置にモノクロの医用画像を表示する際に、カラー画像表示装置に色調の異なる複数のサンプル画像を表示すると共に、観察者から該複数のサンプル画像の中のいずれか複数の選択を受け付けることで、選択された複数のサンプル画像の中間の色調に合致するように、モノクロの医用画像データをカラーモニタに表示する際の色調処理を実行する。
【００２２】
これにより、モノクロの医用画像データに基づいて、フィルム上に画像形成してハードコピーとして出力すると共に、カラー画像表示装置にモノクロの医用画像を表示する際の色調を簡便に一致させることが可能になる。
【００２３】
（２）請求項２記載の発明は、複数のサンプル画像が選択された際には、該複数のサンプル画像の中間の色調の異なる複数のサンプル画像を更に表示すると共に、該複数のサンプル画像の中のいずれか単一もしくは複数の選択を受け付け、単一のサンプル画像が選択された際には、選択された単一のサンプル画像の色調に合致するように、モノクロの医用画像データをカラーモニタに表示する際の色調処理を実行する、ことを特徴とする。
【００２４】
また、請求項９記載の発明は、複数のサンプル画像が選択された際には、該複数のサンプル画像の中間の色調の異なる複数のサンプル画像を更に表示すると共に、該複数のサンプル画像の中のいずれか単一もしくは複数の選択を受け付け、単一のサンプル画像が選択された際には、選択された単一のサンプル画像の色調に合致するように、モノクロの医用画像データをカラーモニタに表示する際の色調処理を実行する、ことを特徴とする。
【００２５】
これらの発明では、モノクロの医用画像データに基づいて、フィルム上に画像形成してハードコピーとして出力すると共に、カラー画像表示装置にモノクロの医用画像を表示する際に、複数のサンプル画像が選択された際には、該複数のサンプル画像の中間の色調の異なる複数のサンプル画像を更に表示すると共に、該複数のサンプル画像の中のいずれか単一もしくは複数の選択を受け付け、単一のサンプル画像が選択された際には、選択された単一のサンプル画像の色調に合致するように、モノクロの医用画像データをカラーモニタに表示する際の色調処理を実行する。
【００２６】
これにより、モノクロの医用画像データに基づいて、フィルム上に画像形成してハードコピーとして出力すると共に、カラー画像表示装置にモノクロの医用画像を表示する際の色調を、細かく正確かつ簡便に一致させることが可能になる。
【００２７】
（３）請求項３記載の発明は、前記表示する色調の異なる複数のサンプル画像は、同一の絵柄の画像である、ことを特徴とする請求項１または請求項２に記載の医用画像表示方法である。
【００２８】
また、請求項１０記載の発明は、前記表示する色調の異なる複数のサンプル画像は、同一の絵柄の画像である、ことを特徴とする請求項８または請求項９に記載の医用画像表示装置である。
【００２９】
これらの発明では、上記（１）〜（２）において、同一の絵柄で色調の異なる複数のサンプル画像を表示しているので、カラー画像表示装置にモノクロの医用画像を表示する際の色調を、一層正確かつ簡便に一致させることが可能になる。
【００３０】
（４）請求項４記載の発明は、モノクロの医用画像データに基づいて、フィルム上に画像形成してハードコピーとして出力すると共に、カラー画像表示装置にモノクロの医用画像を表示する際の医用画像表示方法であって、単一のサンプル画像と、色調の異なる複数の色見本を表示すると共に、該複数の色見本のいずれかの選択を受け付け、選択された色見本の色調に合致するように、サンプル画像に色調処理を実行して表示し、色見本の選択が確定した後、モノクロの医用画像データをカラーモニタに表示する際の色調処理を実行する、ことを特徴とする医用画像表示方法である。
【００３１】
また、請求項１１記載の発明は、モノクロの医用画像データに基づいて、フィルム上に画像形成してハードコピーとして出力すると共に、カラー画像表示装置にモノクロの医用画像を表示する際の医用画像表示装置であって、単一のサンプル画像と、色調の異なる複数の色見本を表示すると共に、該複数の色見本のいずれかの選択を受け付け、選択された色見本の色調に合致するように、サンプル画像に色調処理を実行して表示し、色見本の選択が確定した後、モノクロの医用画像データをカラーモニタに表示する際の色調処理を実行する、ことを特徴とする医用画像表示装置である。
【００３２】
これらの発明では、モノクロの医用画像データに基づいて、フィルム上に画像形成してハードコピーとして出力すると共に、カラー画像表示装置にモノクロの医用画像を表示する際に、カラー画像表示装置に色調の異なる複数の色見本を表示すると共に、観察者から該複数の色見本の中のいずれかの選択を受け付けることで、選択された色見本の色調に合致するように、モノクロの医用画像データをカラーモニタに表示する際の色調処理を実行する。
【００３３】
これにより、モノクロの医用画像データに基づいて、フィルム上に画像形成してハードコピーとして出力すると共に、カラー画像表示装置にモノクロの医用画像を表示する際の色調を簡便に一致させることが可能になる。
【００３８】
なお、上記請求項４記載の発明は、複数の色見本の中のいずれか複数の選択を受け付け、選択された複数の色見本の中間の色調に合致するように、モノクロの医用画像データをカラーモニタに表示する際の色調処理を実行する、ことを特徴とする。
【００３９】
また、上記請求項１１記載の発明は、複数の色見本の中のいずれか複数の選択を受け付け、選択された複数の色見本の中間の色調に合致するように、モノクロの医用画像データをカラーモニタに表示する際の色調処理を実行する、ことを特徴とする。
【００４０】
これらの発明では、モノクロの医用画像データに基づいて、フィルム上に画像形成してハードコピーとして出力すると共に、カラー画像表示装置にモノクロの医用画像を表示する際に、カラー画像表示装置に色調の異なる複数の色見本を表示すると共に、観察者から該複数の色見本の中のいずれか複数の選択を受け付けることで、選択された複数の色見本の中間の色調に合致するように、モノクロの医用画像データをカラーモニタに表示する際の色調処理を実行する。
【００４１】
これにより、モノクロの医用画像データに基づいて、フィルム上に画像形成してハードコピーとして出力すると共に、カラー画像表示装置にモノクロの医用画像を表示する際の色調を簡便に一致させることが可能になる。
【００４２】
（５）請求項５記載の発明は、複数の色見本が選択された際には、該複数の色見本の中間の色調の異なる複数の色見本を更に表示すると共に、該複数の色見本のいずれか単一もしくは複数の選択を受け付け、単一の色見本が選択された際には、選択された単一の色見本の色調に合致するように、モノクロの医用画像データをカラーモニタに表示する際の色調処理を実行する、ことを特徴とする。
【００４３】
また、請求項１２記載の発明は、複数の色見本が選択された際には、該複数の色見本の中間の色調の異なる複数の色見本を更に表示すると共に、該複数の色見本のいずれか単一もしくは複数の選択を受け付け、単一の色見本が選択された際には、選択された単一の色見本の色調に合致するように、モノクロの医用画像データをカラーモニタに表示する際の色調処理を実行する、ことを特徴とする。
【００４４】
これらの発明では、モノクロの医用画像データに基づいて、フィルム上に画像形成してハードコピーとして出力すると共に、カラー画像表示装置にモノクロの医用画像を表示する際に、複数のサンプル画像が選択された際には、該複数の色見本の中間の色調の異なる複数の色見本を更に表示すると共に、該複数の色見本の中のいずれか単一もしくは複数の選択を受け付け、単一の色見本が選択された際には、選択された単一の色見本の色調に合致するように、モノクロの医用画像データをカラーモニタに表示する際の色調処理を実行する。
【００４５】
これにより、モノクロの医用画像データに基づいて、フィルム上に画像形成してハードコピーとして出力すると共に、カラー画像表示装置にモノクロの医用画像を表示する際の色調を、細かく正確かつ簡便に一致させることが可能になる。
【００４６】
（６）請求項６記載の発明は、所定の輝度において色調の異なる複数の色見本を表示すると共に、輝度の選択を受け付け、輝度の選択が変更された場合には、変更された輝度における色調の異なる複数の色見本を表示する、ことを特徴とする請求項４または請求項５に記載の医用画像表示方法である。
【００４７】
また、請求項１３記載の発明は、所定の輝度において色調の異なる複数の色見本を表示すると共に、輝度の選択を受け付け、輝度の選択が変更された場合には、変更された輝度における色調の異なる複数の色見本を表示する、ことを特徴とする請求項１１または請求項１２に記載の医用画像表示装置である。
【００４８】
これらの発明では、所定の輝度において色調の異なる複数の色見本を表示すると共に、輝度の選択を受け付け、輝度の選択が変更された場合には、変更された輝度における色調の異なる複数の色見本を表示するようにしているので、カラー画像表示装置にモノクロの医用画像を表示する際の色調を、一層正確かつ簡便に一致させることが可能になる。
【００４９】
（７）請求項７記載の発明は、シャーカステンによって照明された画像の明度と等しい明度となるように前記カラーモニタにモノクロの医用画像を表示し、色調処理を実行する、ことを特徴とする請求項１乃至請求項６のいずれかに記載の医用画像表示方法である。
【００５０】
また、請求項１４記載の発明は、シャーカステンによって照明された画像の明度と等しい明度となるように前記カラーモニタにモノクロの医用画像を表示し、色調処理を実行する、ことを特徴とする請求項８乃至請求項１３のいずれかに記載の医用画像表示装置である。
【００５１】
これらの発明では、シャーカステン上の画像とモニタ表示画像との明度を合わせた状態で色調処理を実行しているので、カラー画像表示装置にモノクロの医用画像を表示する際の色調を、一層正確かつ簡便に一致させることが可能になる。
【００５２】
（８）なお、上記（１）〜（７）のいずれかの医用画像表示方法を実現する医用画像表示プログラムも、課題を解決するための一手段である。
（９）なお、上記（１）〜（７）のいずれかの医用画像表示方法を実現する医用画像表示プログラムが記録された記録媒体も、課題を解決するための一手段である。
【００５３】
【発明の実施の形態】
以下、図面を参照して本発明の実施の形態例を詳細に説明する。
〈医用画像表示装置の構成〉
以下、医用画像表示装置１０の構成を大まかな機能ブロックである図１に従って説明する。
【００５４】
１１は医用画像表示装置１０の各部を制御する制御手段としての制御部、１２はモノクロの医用画像データが入力されるデータ入力部、１３は本実施の形態例の特徴となる表示用画像処理を実行する画像処理部、１４はモノクロの医用画像も含めて各種画像を表示するカラー画像表示装置、１５は観察者からの操作の入力がなされる操作部、１６は各種設定データを保持するデータ保持部である。
【００５５】
ここでは、図示されない医用画像撮像装置によりモノクロの医用画像データが生成されるものとする。この医用画像データがデータ入力部１２から入力される。この場合、図示されない医用画像撮影装置と本実施の形態例の医用画像表示装置１０とはネットワークで接続されていてもよいし、電子的な記録媒体を介してデータの受け渡しを行ってもよい。
【００５６】
〈医用画像表示装置の動作〉
この実施の形態例の医用画像表示装置１０が動作する環境において、図示されていないが、並行して、モノクロの医用画像データに基づいて、フィルム上に画像形成されたハードコピーがシャーカステンによって照明されて観察可能状態にあるものとする。
【００５７】
既に説明したように、このハードコピーは無色透明のベースフィルム上にモノクロの画像を形成する場合と、青みがかった透明のベースフィルム上にモノクロの画像を形成する場合とがある。すなわち、使用するフィルムの銘柄によって、ベースの色が無色のものと薄青色のものとが存在している。したがって、シャーカステンによって照明されて観察される状態で、モノクロの医用画像は、青みがかったグレーの場合と、ニュートラルなグレーの場合とがある。
【００５８】
ここで医用画像表示装置１０は、色調決定のために、以下の処理を実行する。
〈処理例（１）〉：
まず、データ入力部１２に与えられたモノクロの医用画像データについて、画像処理部１３は、原画像からサンプリングをして画素数を間引いて縮小させた縮小画像を作成する。そして、さらに画像処理部１３は、この縮小画像に基づいて、色調の異ならせた複数のサンプル画像を生成して、カラー画像表示装置１４に表示する。この場合、原画像の縦横それぞれを数分の一に縮小したサンプル画像を、一画面に６〜８個程度表示することが望ましい。そして、図２に示すように、ニュートラルなグレーや青みがかったグレーを含むようにして、複数の色調変換特性に基づいて複数のサンプル画像を生成し、一画面に表示する。
【００５９】
そして、観察者は、図示されていないシャーカステンによって照明された医用画像のハードコピーと、カラー画像表示装置１４上の複数のサンプル画像とを見比べながら、観察者の主観によって最も色調が近いと判断されるサンプル画像を、操作部１５を介して選択する。
【００６０】
制御部１１では、観察者からのサンプル画像の選択を受け付けることで、選択されたサンプル画像の色調に合致する色調変換特性を選択し、その特性をデータ保持部１６に保持する。または、制御部１１は、データ保持部１６に予め保持されている複数の色調変換特性の中から、選択されたサンプル画像の色調に合致する色調変換特性をアクティブな状態にする。
【００６１】
そして、医用画像表示装置１０は、それ以後新たな色調決定処理が実行されるまでは、選択された色調変換特性を用いて、モノクロの医用画像データをカラーモニタに表示する際の色調処理を実行する。
【００６２】
このように、観察者から該複数のサンプル画像の中のいずれか単一の選択を受け付けることで、選択された単一のサンプル画像の色調に合致するように、モノクロの医用画像データをカラーモニタに表示する際の色調処理を実行することにより、モノクロの医用画像データに基づいて、フィルム上に画像形成してハードコピーとして出力すると共に、カラー画像表示装置にモノクロの医用画像を表示する際の色調を簡便に一致させることが可能になる。
【００６３】
また、観察者から該複数のサンプル画像の中のいずれか複数の選択を受け付けることで、選択された複数のサンプル画像の中間の色調に合致するように、モノクロの医用画像データをカラーモニタに表示する際の色調処理を実行することも可能である。これにより、モノクロの医用画像データに基づいて、フィルム上に画像形成してハードコピーとして出力すると共に、カラー画像表示装置にモノクロの医用画像を表示する際の色調を簡便に一致させることが可能になる。
【００６４】
また、観察者から複数のサンプル画像が選択された際には、制御部１１は、該複数のサンプル画像の中間の色調の異なる複数のサンプル画像を更に表示すると共に、該複数のサンプル画像の中のいずれか単一もしくは複数の選択を受け付け、単一のサンプル画像が選択された際には、選択された単一のサンプル画像の色調に合致するように、モノクロの医用画像データをカラーモニタに表示する際の色調処理を実行することも可能である。これにより、モノクロの医用画像データに基づいて、フィルム上に画像形成してハードコピーとして出力すると共に、カラー画像表示装置にモノクロの医用画像を表示する際の色調を、細かく正確かつ簡便に一致させることが可能になる。
【００６５】
また、以上の動作において、同一の絵柄で色調の異なる複数のサンプル画像を表示しているので、カラー画像表示装置にモノクロの医用画像を表示する際の色調を、一層正確かつ簡便に一致させることが可能になる。
【００６６】
〈処理例（２）〉：
まず、データ入力部１２に与えられたモノクロの医用画像データに基づいて、単一のサンプル画像を画面いずれか半分の位置に表示させ、さらに、画面の残り半分の位置に、同一の輝度であって色調の異なる複数の色見本を表示する。
【００６７】
この場合、色見本を一画面に８個程度表示することが望ましい。そして、図３に示すように、ニュートラルなグレーや青みがかったグレーを含む複数の色見本と、単一のサンプル画像とを生成し、一画面に表示する。
【００６８】
そして、観察者は、図示されていないシャーカステンによって照明された医用画像のハードコピーと、カラー画像表示装置１４上の複数の色見本とを見比べながら、観察者の主観によって最も色調が近いと判断される色見本を、操作部１５を介して選択する。
【００６９】
制御部１１では、観察者からの色見本の選択を受け付けることで、選択された色見本の色調に合致する色調変換特性を選択し、その特性をデータ保持部１６に保持する。または、制御部１１は、データ保持部１６に予め保持されている複数の色調変換特性の中から、選択された色見本の色調に合致する色調変換特性をアクティブな状態にする。そして、選択された色見本の色調変換特性に基づいて、画面に表示されている医用画像に色調決定処理を施して表示する。この場合、観察者が色調に満足すれば処理を終了し、さらに色調を選択したければ処理を継続する。
【００７０】
そして、色調の選択の処理が完了した後、医用画像表示装置１０は、それ以後新たな色調決定処理が実行されるまでは、選択された色調変換特性を用いて、モノクロの医用画像データをカラーモニタに表示する際の色調処理を実行する。
【００７１】
このように、観察者から該複数の色見本の中のいずれか単一の選択を受け付けることで、選択された単一の色見本の色調に合致するように、モノクロの医用画像データをカラーモニタに表示する際の色調処理を実行することにより、モノクロの医用画像データに基づいて、フィルム上に画像形成してハードコピーとして出力すると共に、カラー画像表示装置にモノクロの医用画像を表示する際の色調を簡便に一致させることが可能になる。
【００７２】
また、観察者から該複数の色見本の中のいずれか複数の選択を受け付けることで、選択された複数の色見本の中間の色調に合致するように、モノクロの医用画像データをカラーモニタに表示する際の色調処理を実行することも可能である。これにより、モノクロの医用画像データに基づいて、フィルム上に画像形成してハードコピーとして出力すると共に、カラー画像表示装置にモノクロの医用画像を表示する際の色調を簡便に一致させることが可能になる。
【００７３】
また、観察者から複数の色見本が選択された際には、制御部１１は、該複数の色見本の中間の色調の異なる複数の色見本を更に表示すると共に、該複数の色見本の中のいずれか単一もしくは複数の選択を受け付け、単一の色見本が選択された際には、選択された単一の色見本の色調に合致するように、モノクロの医用画像データをカラーモニタに表示する際の色調処理を実行することも可能である。これにより、モノクロの医用画像データに基づいて、フィルム上に画像形成してハードコピーとして出力すると共に、カラー画像表示装置にモノクロの医用画像を表示する際の色調を、細かく正確かつ簡便に一致させることが可能になる。
【００７４】
また、以上の動作において、同一の絵柄あるいは無模様で色調の異なる複数の色見本を表示しているので、カラー画像表示装置にモノクロの医用画像を表示する際の色調を、一層正確かつ簡便に一致させることが可能になる。
【００７５】
〈処理例（３）〉：
まず、データ入力部１２に与えられたモノクロの医用画像データに基づいて、単一のサンプル画像を画面いずれかの位置（図４では中央）に表示させ、さらに、サンプル画像の周囲に、ＲＧＢのそれぞれが増減された状態のサンプル画像を配置する。ここでは、Ｒ（赤）、Ｇ（緑）、Ｂ（青）の三原色を用いて操作する例を示しており、「Ｒ＋」、「Ｒ−」、「Ｇ＋」、「Ｇ−」、「Ｂ＋」、「Ｂ−」のサンプル画像が表示されている。また、画面の残余の位置には、前記アイコンで操作する際の、色調変更ステップの調整アイコンも表示されている。
【００７６】
そして、観察者は、図示されていないシャーカステンによって照明された医用画像のハードコピーと、カラー画像表示装置１４上のサンプル画像とを見比べながら、観察者の主観によって最も色調が近くなるまで、周囲のサンプル画像をクリックするように操作部１５を介して操作する。クリックされたサンプル画像は中央に移動し、元の位置には更に色調を増減するためのサンプル画像が新たに現れる。
【００７７】
制御部１１では、観察者からの調整操作を受け付けることで、色調変換特性を変更し、その特性をデータ保持部１６に保持する。そして、決定された色見本の色調変換特性に基づいて、画面に表示されている医用画像に色調決定処理を施して表示する。この場合、観察者が色調に満足すれば処理を終了し、さらに色調を選択したければ処理を継続する。
【００７８】
そして、色調変換特性の変更の処理が完了した後、医用画像表示装置１０は、それ以後新たな色調決定処理が実行されるまでは、選択された色調変換特性を用いて、モノクロの医用画像データをカラーモニタに表示する際の色調処理を実行する。
【００７９】
このように、観察者から色調変換特性の調整を受け付け、モノクロの医用画像データをカラーモニタに表示する際の色調処理を実行することにより、モノクロの医用画像データに基づいて、フィルム上に画像形成してハードコピーとして出力すると共に、カラー画像表示装置にモノクロの医用画像を表示する際の色調を簡便に一致させることが可能になる。
【００８０】
〈処理例（４）〉：
まず、データ入力部１２に与えられたモノクロの医用画像データに基づいて、単一のサンプル画像を画面いずれかの位置（図５では左半分）に表示させ、さらに、サンプル画像の隣（この図の例では右半分）に、色調変換用操作グラフを配置する。ここでは、Ｒ（赤）、Ｇ（緑）、Ｂ（青）の三原色を用いて操作する例を示しており、それぞれのグラフが表示されている。
【００８１】
そして、観察者は、図示されていないシャーカステンによって照明された医用画像のハードコピーと、カラー画像表示装置１４上のサンプル画像とを見比べながら、観察者の主観によって最も色調が近くなるまで、色調変換用操作グラフの特性曲線のカーブを変更するように操作部１５を介して操作する。
【００８２】
制御部１１では、観察者からの調整操作を受け付けることで、色調変換特性を変更し、その特性をデータ保持部１６に保持する。そして、決定された色見本の色調変換特性に基づいて、画面に表示されている医用画像に色調決定処理を施して表示する。この場合、観察者が色調に満足すれば処理を終了し、さらに色調を選択したければ処理を継続する。
【００８３】
そして、色調変換特性の変更の処理が完了した後、医用画像表示装置１０は、それ以後新たな色調決定処理が実行されるまでは、選択された色調変換特性を用いて、モノクロの医用画像データをカラーモニタに表示する際の色調処理を実行する。
【００８４】
このように、観察者から色調変換特性の調整を受け付け、モノクロの医用画像データをカラーモニタに表示する際の色調処理を実行することにより、モノクロの医用画像データに基づいて、フィルム上に画像形成してハードコピーとして出力すると共に、カラー画像表示装置にモノクロの医用画像を表示する際の色調を簡便に一致させることが可能になる。なお、このようにＲＧＢの特性の調整を受け付けることで、濃度別に色調を細かく調整することも可能になる。
【００８５】
〈処理例（５）〉：
まず、データ入力部１２に与えられたモノクロの医用画像データに基づいて、単一のサンプル画像を画面いずれかの位置（図６では左半分）に表示させ、さらに、サンプル画像の隣（この図の例では右半分）に、色相調整部と輝度調整部とを配置する。ここでは、Ｒ（赤）、Ｇ（緑）、Ｂ（青）の三原色を用いて操作する例を示しており、ＲＧＢによる色相調整部が表示されている。
【００８６】
そして、観察者は、図示されていないシャーカステンによって照明された医用画像のハードコピーと、カラー画像表示装置１４上のサンプル画像とを見比べながら、観察者の主観によって最も色調が近くなるまで、色相調整部上のカーソルを変更するように操作部１５を介して操作する。この場合、輝度調整部にてある輝度を選択し、そのときの濃度のグレーについて色相調整部にて色相調整を行うようにする。
【００８７】
制御部１１では、観察者からの調整操作を受け付けることで、色調変換特性を生成あるいは変更し、その特性をデータ保持部１６に保持する。そして、決定された色見本の色調変換特性に基づいて、画面に表示されている医用画像に色調決定処理を施して表示する。この場合、観察者が色調に満足すれば処理を終了し、さらに色調を選択したければ処理を継続する。
【００８８】
そして、色調変換特性の変更の処理が完了した後、医用画像表示装置１０は、それ以後新たな色調決定処理が実行されるまでは、選択された色調変換特性を用いて、モノクロの医用画像データをカラーモニタに表示する際の色調処理を実行する。
【００８９】
このように、観察者から色調変換特性の調整を受け付け、モノクロの医用画像データをカラーモニタに表示する際の色調処理を実行することにより、モノクロの医用画像データに基づいて、フィルム上に画像形成してハードコピーとして出力すると共に、カラー画像表示装置にモノクロの医用画像を表示する際の色調を簡便に一致させることが可能になる。なお、このように、輝度調整部とＲＧＢの色相調整部との調整を受け付けることで、濃度別に色調を細かく調整することも可能になる。
【００９０】
〈処理例（６）〉：
まず、データ入力部１２に与えられたモノクロの医用画像データに基づいて、単一のサンプル画像を画面いずれかの位置（図７では左半分）に表示させ、さらに、サンプル画像の隣（この図の例では右半分）に、色相調整部としての色見本を配置する。ここでは、輝度あるいは明度に大きな影響を与えるＧ（緑）を数値で入力するようにして、Ｒ（赤）、Ｂ（青）を色見本上でポインタ（図では十字型のクロスポインタ）をポインティングデバイスで移動させることで、三原色を用いて操作する例を示している。ここでは、数値により入力されたＧとポインタ移動により決定されるＲＢとによって、ＲＧＢ３原色による色見本が表示されている。
【００９１】
そして、観察者は、図示されていないシャーカステンによって照明された医用画像のハードコピーと、カラー画像表示装置１４上のサンプル画像とを見比べながら、観察者の主観によって最も色調が近くなるまで、入力ボックス内の数値と色相調整部上のポインタとを変更するように操作部１５を介して操作する。この場合、まず、数値でＧの値を選択し、そのときのＲとＢとについて色見本にて調整を行うようにする。
【００９２】
制御部１１では、観察者からの調整操作を受け付けることで、色調変換特性を生成あるいは変更し、その特性をデータ保持部１６に保持する。そして、決定された色見本の色調変換特性に基づいて、画面に表示されている医用画像に色調決定処理を施して表示する。この場合、観察者が色調に満足すれば処理を終了し、さらに色調を選択したければ処理を継続する。
【００９３】
そして、色調変換特性の変更の処理が完了した後、医用画像表示装置１０は、それ以後新たな色調決定処理が実行されるまでは、選択された色調変換特性を用いて、モノクロの医用画像データをカラーモニタに表示する際の色調処理を実行する。
【００９４】
このように、観察者から色調変換特性の調整を受け付け、モノクロの医用画像データをカラーモニタに表示する際の色調処理を実行することにより、モノクロの医用画像データに基づいて、フィルム上に画像形成してハードコピーとして出力すると共に、カラー画像表示装置にモノクロの医用画像を表示する際の色調を簡便に一致させることが可能になる。
【００９５】
〈処理例（７）〉
なお、以上の各処理例において、シャーカステンによって照明された医用画像とカラーモニタに表示された画像とを比較するに際し、それぞれの明度を等しくするように調整したうえで色調処理を実行することが、見え方を一致させるという点でさらに望ましい。
【００９６】
〈処理例（８）〉
なお、以上の各処理例において、シャーカステンによって照明された医用画像とカラーモニタに表示された画像とを比較するに際し、それぞれの表示画像が一致していることが最も望ましい。シャーカステン上の画像とモニタ表示画像とを一致させることができない場合、たとえば、モニタには肺野画像などの典型的な画像を表示することが、見え方を一致させるという点でさらに望ましい。
【００９７】
〈その他の実施の形態例〉
なお、上記の各実施の形態例に示した医用画像表示方法を実現するための各ステップをルーチンとする医用画像表示プログラム（コンピュータプログラム）も、課題を解決するための一手段であり、本発明の重要部分である。
【００９８】
すなわち、モノクロの医用画像データに基づいて、フィルム上に画像形成してハードコピーとして出力すると共に、カラー画像表示装置にモノクロの医用画像を表示する際の医用画像表示プログラムであって、色調の異なる複数のサンプル画像を表示する表示ステップと、該複数のサンプル画像の中のいずれかの選択を受け付ける受付ステップと、選択されたサンプル画像の色調に合致するように、モノクロの医用画像データをカラーモニタに表示する際の色調処理を実行する色調処理ステップと、を有することを特徴とする医用画像表示プログラムである。
【００９９】
このプログラムの実行により、モノクロの医用画像データに基づいて、フィルム上に画像形成してハードコピーとして出力すると共に、カラー画像表示装置にモノクロの医用画像を表示する際の色調を簡便に一致させることが可能になる。
【０１００】
また、上述した実施の形態例同様に、上記の各実施の形態例の医用画像表示方法を実現する医用画像表示プログラムが記録された記録媒体も、課題を解決するための一手段であり、本発明の重要部分である。
【０１０１】
【発明の効果】
以上、詳細に説明したように、本発明では、モノクロの医用画像データに基づいて、フィルム上に画像形成してハードコピーとして出力すると共に、カラー画像表示装置にモノクロの医用画像を表示する際に、カラー画像表示装置に色調の異なる複数のサンプル画像を表示すると共に、観察者から該複数のサンプル画像の中のいずれかの選択を受け付けることで、選択されたサンプル画像の色調に合致するように、モノクロの医用画像データをカラーモニタに表示する際の色調処理を実行する。これにより、モノクロの医用画像データに基づいて、フィルム上に画像形成してハードコピーとして出力すると共に、カラー画像表示装置にモノクロの医用画像を表示する際の色調を簡便に一致させることが可能になる。
【図面の簡単な説明】
【図１】本発明の実施の形態例の医用画像表示装置の構成を示す機能ブロック図である。
【図２】本発明の実施の形態例における色調変換特性の決定の際の表示画面例を示す説明図である。
【図３】本発明の実施の形態例における色調変換特性の決定の際の表示画面例を示す説明図である。
【図４】本発明の実施の形態例における色調変換特性の決定の際の表示画面例を示す説明図である。
【図５】本発明の実施の形態例における色調変換特性の決定の際の表示画面例を示す説明図である。
【図６】本発明の実施の形態例における色調変換特性の決定の際の表示画面例を示す説明図である。
【図７】本発明の実施の形態例における色調変換特性の決定の際の表示画面例を示す説明図である。
【符号の説明】
１０  医用画像表示装置
１１  制御部
１２  データ入力部
１３  画像処理部
１４  カラー画像表示装置
１５  操作部
１６  データ保持部
【図１】
0004631206.tif 000002
【図２】
0004631206.tif 000003
【図３】
0004631206.tif 000004
【図４】
0004631206.tif 000005
【図５】
0004631206.tif 000006
【図６】
0004631206.tif 000007
【図７】
0004631206.tif 000008